(57)【要約】【課題】  農家や家庭菜園を営む女性でも根菜類栽培用の穴を効率的に且つ容易に形成することができる穴掘り器を提供する。【解決手段】  上部にハンドル部２を備えた主軸１の下端部を尖らすと共に、主軸下方部に複数の扇状羽根体３１，３２，３３を、各扇状羽根体が螺旋状面となるように傾斜し、且つ軸方向からの投影面で、扇状羽根体全体で略円形を満たすように上下に配置して主軸に取り付けられ、上方側に配設した扇状羽根体における下方側外周縁に、縦切刃体３４，３５を上方へ突設した。【選択図】  図１
0003106093.tif 000002
【実用新案登録請求の範囲】
【請求項１】
上部にハンドル部を備えた主軸の下端部を尖らすと共に、主軸下方部に複数の扇状羽根体を、各扇状羽根体が螺旋状面となるように傾斜し、且つ軸方向からの投影面で、扇状羽根体外縁全体で略円形となるように上下に配置して主軸に取り付けられ、上方側に配設した扇状羽根体における下方側外周縁に、縦切刃体を上方へ突設してなることを特徴とする穴掘り器。
【請求項２】
扇状羽根体が３個で構成され、軸方向に直行する投影面で、３個の扇状羽根体が僅かに重なり合って円形を満たすと共に、各扇状羽根体の下方側端縁に横切り刃部を形成し、上方側２枚の扇状羽根体に縦切刃体を設けてなる請求項１記載の穴掘り器。
【請求項３】
扇状羽根体が軸方向に直交する横断面から１０〜２５度の傾斜面に形成し、扇状羽根体の掘削穴径となる投影円の直径を１５〜２０ｃｍとした請求項２記載の穴掘り器。
【考案の詳細な説明】
【技術分野】
【０００１】
本考案は、特に農家の自家消費用栽培や家庭菜園などの使用に適した手動穴掘り器に関するものである。
【背景技術】
【０００２】
手動穴掘り器は、農業用や測量石標の埋設等種々の目的のために地面に所定大きさや深さの穴を掘削するもので、種々の構造の器具が知られている。
【０００３】
例えば実開平６−５５３０９号公報（特許文献１）、特開平９−６７８２８号公報、登録実用新案３０６８８６６号公報、登録実用新案３０９１２５９号公報には、柄先部にショベル部を設けた一対の部材を対向するショベルの基部で枢結し、柄の開閉操作で土壌を挟持するようにしている挟持タイプの器具が開示されている。
【０００４】
また特開２００３−３０４７１１号公報（特許文献２）及び登録実用新案３０９８６６７号公報などには、円筒状又は対向シャベル状の掘削部と前記掘削部を回転させるハンドル柄で構成され、掘削部を地面に回転させながら押し込み、土壌を抱持して掘削を行う抱持タイプの器具が開示されている。
【０００５】
さらに特開平８−２１４６０１号公報（特許文献３）及び特開平１１−３０３１１８号公報（特許文献４）には、ハンドルを備えた軸部に螺旋羽根板を装着したオーガタイプの器具が開示されている。
【０００６】
【特許文献１】実開平６−５５３０９号公報。
【特許文献２】特開２００３−３０４７１１公報。
【特許文献３】特開平８−２１４６０１号公報。
【特許文献４】特開平１１−３０３１１８号公報。
【考案の開示】
【考案が解決しようとする課題】
【０００７】
挟持タイプの器具は、地面が硬い場合にシャベル部の差込が困難であり、さらに二本の柄部を操作して穴底の土を掘り出す場合、柄部の操作が煩雑であることや、操作中に誤って柄部の開閉操作をしてしまうと、掘削土が零れてしまう等の使い難さがある。
【０００８】
また抱持タイプの器具は、土壌が砂地のような乾燥土壌では、掘削部で抱持した土壌が零れすく、逆に粘土質の土壌であれば掘削部から抱持土壌を離脱させるのが面倒となる。
【０００９】
更にオーガタイプの器具は、土壌の性状に関りなく地面への差し入れができるが、連続
螺旋羽根は、螺旋形状が正確でないと器具の回転抵抗となって使い難いので、器具の製造に正確さが要求される課題がある。また掘削に際して螺旋羽根を地面に潜らしても引き抜くとき、螺旋羽根に挟まれた土壌と穴周囲部分に位置することになる土壌とは分離されておらず繋がった状態であるので、大きな抵抗となり掘削作業に大きな力を必要としてしまう。
【００１０】
そこで本考案は、地面への差込が容易であるオーガタイプの穴掘り器の改良を提案したものである。
【課題を解決するための手段】
【００１１】
本考案に係る穴掘り器は、上部にハンドル部を備えた主軸の下端部を尖らすと共に、主軸下方部に複数の扇状羽根体を、各扇状羽根体が螺旋状面となるように傾斜し、且つ軸方向からの投影面で、扇状羽根体全体で略円形を満たすように上下に配置して主軸に取り付けられ、上方側に配設した扇状羽根体における下方側外周縁に、縦切刃体を上方へ突設してなることを特徴とするものである。
【００１２】
而して穴の掘削箇所に器具を立て、ハンドル部を握持して回転させると、扇状羽根体が地面に食い込む、同時に縦切刃体で掘穿される穴の周壁部分を切り離し、適宜深さまで扇状羽根体を潜り込ませた後、地面から引き抜くと掘削穴が形成される。再度掘削穴に差し入れて掘削を行うことで所望（器具の高さに応じた）の深さの掘削が形成される。
【考案の効果】
【００１３】
本考案は上記の通りオーガタイプの穴掘り器おいて、不連続螺旋羽根となる複数の扇状羽根体を採用したもので、各扇状羽根体の螺旋面についての正確性が要求されることがなく製造が容易であり、また潜り込みガイドとなる最下方の扇状羽根体には、縦切り刃体を設けずに、上方側の扇状羽根体に縦切刃体を設けたことによって、掘削作業の操作性を向上させたものである。
【考案を実施するための最良の形態】
【００１４】
次に本考案の実施形態について説明する。実施形態に示した穴掘り器は、主軸１とハンドル部２と掘削部３とで構成される。
【００１５】
主軸１は、全長７０〜１００ｃｍ程度で、上端部にハンドル部２を横設し、下端部は尖らして地面への差込が容易な形状とし、更に扇状羽根体３１，３２，３３を備えた掘削部３を設けたものである。
【００１６】
掘削部３は、３個の扇状羽根体３１，３２，３３を備え、各扇状羽根体３１，３２，３３は、半径７．５〜１０ｃｍで円周角が１３０〜１５０度の扇形状で、主軸１に溶接またはその他の手段で取り付けたもので、取り付け位置は、各扇状羽根体３１，３２，３３が螺旋状面となるように１０〜２５度に傾斜し、且つ軸方向からの投影面で、全扇状羽根体の外縁で全体が円形となるように上下に配置したものである。
【００１７】
また特に上方２個の扇状羽根体３２，３３における下方側外周縁に、縦切刃体３４，３５を上方へ突設してなり、扇状羽根体３１，３２，３３の各下方側端縁に横切り刃部３６を形成したものである。
【００１８】
而して掘削箇所に器具を立て、ハンドル部２を握持して回転させると、扇状羽根体３１，３２，３３が順次地面に食い込むと同時に、縦切刃体３４，３５で掘穿される穴Ａの周壁部分を切り離し、適宜深さまで扇状羽根体３１，３２，３３を潜り込ませた後、地面から引き抜くと、扇状羽根体３１，３２，３３の上方に位置する土壌Ｂは、器具と共に地表引き上げられて掘削穴Ａが形成される。
【００１９】
前記実施形態の穴掘り器は、特に長イモや牛蒡などの根菜類の栽培に際して、畑に穴を掘削し堆肥や畑土を埋め戻し、根菜類の生育に最適な柔らかい土質状態とするために使用することを目的としたもので、農家や家庭菜園を行う女性でも、簡単に且つ容易に根菜類栽培用の穴掘りができる扇状羽根体の大きさを選択し、更には地面への器具の食い込み作業においても大きな力を要しない程度の傾斜角度を選択したものである。
【図面の簡単な説明】
【００２０】
【図１】本考案の実施形態器具の斜視図（一部省略）。
【図２】同使用状態の説明図。
【符号の説明】
【００２１】
１          主軸
２          ハンドル部
３          掘削部
３１，３２，３３  扇状羽根体
３４，３５        縦切刃体
３６              横切刃部
【図１】
0003106093.tif 000003
【図２】
0003106093.tif 000004